Podtech/llm-jp-corpus-v4-ja_patent huggingface dataset:
(57)【要約】【課題】光ケーブルを簡便に使用できるコネクタを提供する。【解決手段】主にプラスチックでできた筒状の本体モールド（１）の一端に光ケーブル（８）を簡便に着脱できる機構を設け、他端には軸方向に光軸を持つＬＥＤ（６）を電流制限のための素子を介して設ける。以上を特徴とする。【選択図】図１
2008116885.tif 000002
【特許請求の範囲】
【請求項１】
主にプラスチックでできた筒状の本体モールド（１）の一端に光ケーブル（８）を簡便に着脱できる機構を設け、他端には軸方向に光軸を持つＬＥＤ（６）を電流制限のための素子を介して設ける。
以上の構成の光ケーブルコネクタ
【請求項２】
本体モールド（１）に固定爪（１０）把持するための可動爪（１１）を設けた金属製の抜け止め金具（５）を本体モールド（１）の規定の部位に設け、光ケーブル（８）の把持、開放の動作に伴い作用する可動爪（１１）を駆動する金具押さえ（３）を本体モールド（１）と抜け止め金具（５）の間に設けた請求項１の光ケーブルコネクタ
【請求項３】
ＬＥＤ（６）のテール部を位置合わせと同時に貫通させた中板（４）を筒状の本体モールド（１）の他端に設け、中板（４）の下面より突き出たＬＥＤ（６）のテールの片側に電流制限のための抵抗（７）を設け、電源ケーブルをＬＥＤ（６）及び抵抗（７）の開放端と接続し設けた請求項１若しくは請求項２の光ケーブルコネクタ
【請求項４】
バネ性を具備したラッチ方式の背面キャップ（２）を中板（４）の外側より本体モールド（１）に設けた請求項１若しくは請求項２若しくは請求項３の光ケーブルコネクタ。
【発明の詳細な説明】
【技術分野】
【０００１】この発明は、ケーブルの途中から光が漏れる機能を具備した光ケーブルにＬＥＤ光源を簡便に設けるためのコネクタに関する物である。
【背景技術】
【０００２】従来、光ケーブルは通常全反射を利用した電送路としてもちいられており両端には精密な部品が組み込まれたコネクタが組み込まれていた。本件のケーブルの途中で光を散乱させる光ケーブルに光を導く簡便なコネクタは無く、基板に直接実装したＬＥＤの近くまで光ケーブルの端点を近づけ周りの筐体などに留め具を設けて光ケーブルを直接保持する機能を設けたものが有った。
【発明の開示】
【発明が解決しようとする課題】
【０００３】そのためには次のような問題点があった。
一般のＬＥＤは発光に方向性があり基板に実装した状態で効率よく光ケーブルの端点を導くにはＬＥＤを折り曲げたり特別な保持機構を必要としたり特別な発光の方向を持つＬＥＤを必要とした。
本発明はこれらの問題点を解決するためになされたものである。
【課題を解決するための手段】
【０００４】ＬＥＤを保持するケースの一端にケーブルを把持するための爪とこの爪を働かせるロック部品を設け、他端にはＬＥＤ及びこのＬＥＤのリードに繋がる電流制限抵抗及び蓋を一体に設けた。
以上を特徴とする光ガイドケーブルコネクタ。
【発明の効果】
【０００５】（ア）ＬＥＤ及び電流制限抵抗をコネクタの内部に格納しているため機器の内部に実装される際の制限が少なく、取り扱いも簡便である。
（イ）ケーブルを保持したり開放するための爪及びロックが設けているためケーブルの長さ調整、取り付け等の作業が簡便である。
【発明を実施するための最良の形態】
【０００６】以下に本発明の実施の形態について主に図１を用いて説明する。
（イ）主にプラスチックでできた筒状の本体モールド（１）の一端に本体モールド（１）に固定するための固定爪（１０）、光ケーブル（８）を把持するための可動爪（１１）を設けた金属製の抜け止め金具（５）を本体モールド（１）の規定の部位に設け、光ケーブル（８）の把持、開放の動作に伴い作用する可動爪（１１）を駆動する金具押さえ（３）を本体モールド（１）と抜け止め金具（５）の間に設ける。
（ロ）ＬＥＤ（６）のテール部を位置合わせと同時に貫通させた中板（４）を本体モールド（１）の他端に設け、中板（４）の下面より突き出たＬＥＤ（６）のテールの片側に電流制限のための抵抗（７）を設け、電源ケーブルをＬＥＤ（６）及び抵抗（７）の開放端と接続し、設ける。
（ハ）ＬＥＤ（６）及び抵抗（７）を保護するための背面キャップ（２）を抵抗（７）の背面より本体モールド（１）にバネ性を具備したラッチ方式で取り付ける。
本発明は以上のような構成で、これを使用するときは、
金具押さえ（３）を外側に引き出し、抜け止め金具（５）の可動爪（１１）を外側に開放し、光ケーブル（８）を金具押さえ（３）より規定の長さ挿入した後に金具押さえ（３）を本体側に押し戻すことにより可動爪（１１）を光ケーブル（８）に食い込ませ最終的に光ケーブル（８）を本体モールド（１）に固定する。この際固定爪（５）の数は２カ所以上でも構わない。中板（４）を基板とし抵抗（７）をこの基板に実装した形態でもよい。
【図面の簡単な説明】
【０００７】
【図１】本発明の勘合された断面図である。
【符号の説明】
【０００８】１  本体モールド
２  背面キャップ
３  金具押さえ
４  中板
５  抜け止め金具
６  ＬＥＤ
７  抵抗
８  光ケーブル
９  電源ケーブル
１０  固定爪
１１  可動爪
【図１】
2008116885.tif 000003
(57)【要約】【目的】弦楽器の演奏について、楽器の良い音色を保持するには、楽器の竿と駒の間に弓が運弓することを要求されるが、練習奏者には中々これが出来ない。２つの重要運弓方法は、運弓は竿と駒の間で行う事  更に運弓は弦に出来るだけ直角の角度をもって奏す事である。この２件の課題について練習者に効率適にその運弓を矯正、認識取得させる事の出来る運弓練習具を提供する。【構成】弦楽器の竿と駒の間に運弓練習具ボデーを装着する、次に弦を跨いでガードバーを２本運弓練習具のガードバー差込み穴に差込む。その後、ガードバー２本の間に弓を下ろし運弓練習を行う。更に  タッチパネル付きのガードバーでも同様の運弓練習を行い、ライトの点滅によって運弓動作の状況を知覚する。以上を特徴とする。【選択図】図３
2008116886.tif 000002
【特許請求の範囲】
【請求項１】
バイオリン等の弦楽器において、竿と駒の間に運弓練習具ボデ−を挟込み楽器の胴板上にセットするものであって、このボデーにはガードバー差込み穴が設けられており、この穴にガードバーを弦を跨いで直角となるように並列２本を差し込む。
練習奏者は弓をこのガードバー２本の間に置き、ガードバーに沿って運弓し奏する。そうすると運弓はこのガードバーの間に限定され外側に外れることはなく、弓は動きの範囲を矯正される事となり、練習奏者は運弓の要領を体得出来るようになる、以上の構造からなる運弓練習具。
【請求項２】
請求項１の運弓練習具のグレードアップ判の運弓練習具であって、運弓によって弓がタッチパネル（導体）に接触すると、タッチパネルは同時にガードバー（導体）に当たり、本体ボデー中に装置した電池の電源スイッチが入った状況となり、本体ボデーに装置されたライトが点灯し弓の接触を奏者に知覚させる、以上の構造からなる運弓練習具。
【発明の詳細な説明】
【発明の詳細な説明】
【産業上の利用分野】
【０００１】楽器及び音楽教室等の練習小物用品等に関する産業分野での利用が期待される。
【背景技術】
【０００２】バイオリンの胴を取り巻く大型のもので弓動作矯正補助具はあるが、大きくて使い辛い。
更に光によって、運弓の状態を奏者に知覚させる更に進んだ補助具はない。
【発明が解決しょうとする課題】
【０００３】本案は、弦楽器の弦と弓との関係である運弓（アップ  ダウン）に効果を期待するもので、弦楽器においてスタンダードに良い音色を出すには、竿と駒の間で運弓し、弦に対しほぼ直角に運弓するのが良い。
しかし弦楽器を習い始めた練習奏者は、弦上に弓を動かす時運弓の位置は竿と駒の間に止まらずその前後に大きく外れる、また弓は弦に対し直角に保持できず斜め角度の運弓となってしまう。このため掠れたような音色しか出せない。
この運弓練習具をセットする事によって、練習奏者の弓は竿と駒の間でのみ運弓され、更に弦に対し斜め角度の運弓となってしまう動作をほぼ直角の弓動作に限定矯正する事が出来る、以上により課題を解決するものである。
また請求項２の場合は、光によって弓の作動状況を即座に奏者に知覚認識させ、運弓状況を把握し矯正する事が出来きる、以上により課題を解決すれものである。
【課題を解決するための手段】
【０００４】いまこれを、図面について説明すれば、
（イ）［図１］のように竿（ｃ）と駒（ｂ）との間に運弓練習具（ｅ）をセットする。竿と駒の間隙は楽器により多少異なるので、運弓練習具の幅は伸縮出来るものとし、楽器の幅を合わせ伸縮固定ネジ（ｈ）で定める。
（ロ）［図３］のようにガードバー（ｇ）を運弓練習具ボデー（ｆ）に設けられたガードバー差込み穴（ｊ）に弦を跨いで差込む（並列に２本）
（ハ）［図４］のように弓（ｉ）を置き運弓練習する。
（ニ）［図８］のようにガードバー（ｇ）を取り巻くタッチパネル（ｋ）を設ける。弓（ｉ）がガードバーを外れる時、弓はタッチパネルに接触する事となる。この場合接触力によってタッチパネルの先端は外に曲がりガードバーーに接触する。弓がタッチパネルから外れると、タッチパネルのバネ部（ｎ）によって復帰する。（請求項２の対応説明）
（ホ）［図７］はガードバー（ｇ）とタッチパネル（ｋ）の関係及び電池（ｍ）とライト（ｌ）を結線したところである。
タッチパネルは左側面に弓が当たると先端部の角度が変わりガードバーに接触する事によってライト点滅のスイッチの役目を果たす。
（ヘ）［図１０］は運弓練習具ボデーにタッチパネル付きガードバーを差込み、運弓錬習具ボデーに電池及びライトを備えた状況の図面である。（請求項２の対応説明）
【作用】
【０００５】弦楽器にこの運弓練習具をセットする事によって、練習奏者は運弓を駒と竿の間で行う事が出来、運弓の要領を早期に取得させる事が可能となる。
対象となる弦楽器はバイオリン、チェロ、コントラバス等。
【実施例】
【０００６】以下、本案の実施例について説明する。
（イ）この運弓練習具ボデーを弦楽器の竿と駒の間にセットする。
（ロ）そうした後、弦を跨いでガードバーの先端を運弓練習具ボデーのガードバー差込み穴に挿入する。並列に２本入れる。
（ハ）弓をガードバー２本の間に下ろし、この間で運弓練習を始める。
【発明の効果】
【０００７】弦楽器の練習奏者は、この運弓練習具を用いる事によって、早期に運弓の要領を習得する事が出来る。
更に  請求項２については、  ２本のタッチパネルをガードバーの４支柱に装備し、それぞれに色の異なるライトを備える事によって、弓がどの位置においてガードパネルに当たり点滅したかが判断出来、運弓の微妙な動きを認識し、運弓の改良につなげる事が出来る。
【図面の簡単な説明】
【図１】運弓練習具を装着した弦楽器の正面図
【図２】運弓練習具の正面図
【図３】運弓練習具の斜視図
【図４】運弓練習具と弦及び弓の関係を示す斜視図
【図５】ガードバー側面図
【図６】運弓練習具ボデーにガードバーを差込んだ側面図
【図７】タッチパネルと電池及びライトの関係図
【図８】タッチパネルとガードバーとの関係側面斜視図
【図９】タッチパネル正面図
【図１０】タッチパネル付き運弓練習具の斜視図
【符号の説明】
ａ．弦楽器ボデー
ｂ．駒
ｃ．竿
ｄ．弦
ｅ．運弓練習具
ｆ．運弓練習具ボデー
ｇ．ガードバー
ｈ．伸縮固定ネジ
ｉ．弓
ｊ．ガードーバー差込み穴
ｋ．タッチパネル
ｌ．ライト
ｍ．電池
ｎ．タッチパネルのバネ部
ｏ．絶縁体
【図１】
2008116886.tif 000003
【図２】
2008116886.tif 000004
【図３】
2008116886.tif 000005
【図４】
2008116886.tif 000006
【図５】
2008116886.tif 000007
【図６】
2008116886.tif 000008
【図７】
2008116886.tif 000009
【図８】
2008116886.tif 000010
【図９】
2008116886.tif 000011
【図１０】
2008116886.tif 000012
(57)【要約】【課題】  本発明は取り外し頻度の多いめがねを好きな場所に安全に収納するために、めがね置き装置を提供する。【解決手段】  めがねをめがね置き装置の固定具１に置き、固定具２にめがねの柄を固定することにより、めがねを安定して固定（めがねの種類によって固定状況が悪いときは固定具２用スペーサーを利用し調整）できるようにした。また、装置を壁面に据え付けるためには固定具３を使う。取り付けにはまず、固定具３を装置本体から取り外す。コンセントには挿し、壁につける場合は、裏返しビス等で壁へ取り付け固定した後、装置を取り付ける。なお、平面（車のダッシュボード等）に取り付ける場合は下部に両面テープを付け固定する。【選択図】図８
2008116884.tif 000002
【特許請求の範囲】
【請求項１】
申請装置の形状について
【請求項２】
めがねの固定および支持方法について
【請求項３】
申請装置の壁や床への多方式な取付方法について
【発明の詳細な説明】
【技術分野】
【０００１】  本発明は寝る時に外しためがねや車を運転中に外したサングラスなどをケースに入れずに安心して置くための装置である。
【背景技術】
【０００２】  従来めがねをはずした場合、そのまま置くかケースに入れて置くしかなかった。
【発明の開示】
【発明が解決しようとする課題】
【０００３】  めがねを枕元において寝ているときなど、家族に踏まれてめがねを壊してしまうことがあった。また、車の運転中に外したサングラスを片付けるのに困ったことがあった。本発明はあらかじめ好きな場所にめがねを置く装置を取り付けることによりその課題を解消するものである。
【課題を解決するための手段】
【０００５】  本発明はめがねをめがね置き装置の固定具１に置き、固定具２にめがねの柄を固定することにより、めがねを安定して固定（めがねの種類によって固定状況が悪いときは固定具２用スペーサーを利用し調整）できるようにした。また、装置を壁面に据え付けるためには固定具３を使う。コンセントにはそのまま挿して使用し、壁につける場合は固定具３を装置本体から取り外し、裏返し、ビス等で壁へ取り付け、そこに装置本体を取り付ける。なお、平面（車のダッシュボード等）に取り付ける場合は下部に両面テープを付け固定する。
【発明の効果】
【０００６】  めがねをケースに入れず好きな場所に置けるようにした。また、安定してめがねを置くことができるようにした。左右バランスについては、固定具１を支点とし固定具２で平衡を保てるようにした。前後バランスについては、固定具１に角度を付けることにより安定してめがねを置くことができるようにした。
使用形態がケースに入れないため、取りはずし頻度の多い老眼鏡や車で使用するサングラス等についても使い勝手がいい。
なお、装置の取り付け方法は次のとおり。
（イ）平面・壁：両面テープにて固定
（ロ）壁コンセント：固定具３を利用しコンセントに挿す
（ハ）壁：ビス等にて固定
また、固定具２用スペーサー（上下を差し替えることによりめがねの柄の太さの違いを調整するもの）を取り付けることにより種類の違うめがねを安定して置けるようになる。
【実施例１】
【０００７】  ［図７］  実施例１（正面図）のとおり
【実施例２】
【０００８】  ［図８］  実施例２（側面図）のとおり
【図面の簡単な説明】
【０００９】
【図１】  本発明の正面図である。
【図２】  本発明の上面図である。
【図３】  本発明の背面図である。
【図４】  本発明の下面図である。
【図５】  本発明の側面図である。
【図６】  本発明の断面図である。
【図７】  本発明の実施例１（正面図）である。
【図８】  本発明の実施例２（側面図）である。
【符号の説明】
【００１０】  １    めがね置き装置本体
２    固定具１
３    固定具２
４    固定具２用スペーサー
５    固定具３
６    めがね
７    コンセント
【図１】
2008116884.tif 000003
【図２】
2008116884.tif 000004
【図３】
2008116884.tif 000005
【図４】
2008116884.tif 000006
【図５】
2008116884.tif 000007
【図６】
2008116884.tif 000008
【図７】
2008116884.tif 000009
【図８】
2008116884.tif 000010
(57)【要約】【課題】高レンジか低レンジかを指示計自体に表示することができ、省スペースで安価にするとともに、高低レンジの認識を早く正確に行う。【解決手段】指示計に表示部６を設けるとともに、表示部６に配線８及び接点９を介して電源７を接続し、入力線４から入力される計測信号が所定値以上の場合には接点９をオンして表示部６に高レンジを表示し、計測信号が所定値以下の場合には接点９をオフして表示部６に低レンジを表示する。【選択図】図１
2008116412.tif 000002
【特許請求の範囲】
【請求項１】
高レンジと低レンジの二重目盛と、入力された計測信号に応じてこの二重目盛を指示する指針とを有する二重指示計において、高レンジ又は低レンジを表示する表示部と、高レンジ又は低レンジを表示するための電源と、電源と表示部との間に設けられ、入力された計測信号の大きさに応じて両者の電気的接続をオンオフし、表示部の表示を高レンジと低レンジとに切り換える接点とを備えたことを特徴とする二重指示計。
【発明の詳細な説明】
【技術分野】
【０００１】
この発明は、高レンジと低レンジの二重目盛を有する二重指示計に関するものである。
【背景技術】
【０００２】
図２は特許文献１に示された従来の指示計の正面図を示し、１は目盛、２は目盛１を指示する指針であり、指針２は入力された電流等の計測信号に対応して回動し、計測信号に対応した目盛１を指示する。
【０００３】
ところで、従来の指示計においては、高レンジと低レンジの二重目盛を有する二重指示計があり、この二重指示計を図3により説明する。図３（ａ），（ｂ）は従来の二重指示計の正面図及び表示器の正面図を示し、３は外側の高レンジの目盛３ａと内側の低レンジの目盛３ｂとからなる二重目盛であり、４は電流等の計測信号の入力線である。
【０００４】
上記構成において、指針２は入力された計測信号に応じて回動し、高レンジ又は低レンジの目盛３ａ又は３ｂを指示する。しかし、これだけでは、指針２が高レンジの目盛３ａを指示しているのかあるいは低レンジの目盛３ｂを指示しているのか認識することができないので、別に表示器５を設け、例えば入力された計測信号が電流であり、高レンジ側の計測値の場合には表示器５に電流高レンジのように表示していた。
【特許文献１】特開平6−１１７８７９号公報
【発明の開示】
【発明が解決しようとする課題】
【０００５】
上記したように、従来の二重指示計においては、指示計を見ただけでは高レンジなのか低レンジなのかを認識することができないので、別に設けた表示器５により表示させなければならず、スペースを要するとともに、高価になった。又、指示計とは別の表示器５に表示させるので、一目で高低レベルを認識することができず、手間がかかるとともに、誤認の可能性があった。
【０００６】
この発明は上記のような課題を解決するために成されたものであり、指示計を見ただけで高レンジか低レンジかを認識することができ、表示器などの別の機器を不要とすることができ、省スペースで安価とするとともに、高低レンジの認識を素早くかつ誤認することなく行うことができる二重指示計を得ることを目的とする。
【課題を解決するための手段】
【０００７】
この発明の請求項１に係る二重指示計は、高レンジと低レンジの二重目盛と、入力された計測信号に応じてこの二重目盛の何れかを指示する指針とを有する二重指示計において、高レンジ又は低レンジを表示する表示部と、高レンジ又は低レンジを表示するための電源と、電源と表示部との間に設けられ、入力された計測信号の大きさに応じて両者の電気的接続をオンオフし、表示部の表示を高レンジと低レンジとに切り換える接点とを備えたものである。
【発明の効果】
【０００８】
以上のようにこの発明の二重指示計によれば、高レンジ又は低レンジを表示する表示部を設けるとともに、入力された計測信号の大きさに応じてオンオフする接点を電源と表示部との間に設けており、計測信号の大きさに応じて高レンジと低レンジの表示を表示部に行うことができる。このため、表示器を別に設ける必要がなく、省スペースを図るとともに、安価にすることができ、また高低レンジの認識を早く誤りなく行うことができる。
【発明を実施するための最良の形態】
【０００９】
以下、この発明を実施するための最良の形態を図面とともに説明する。図１はこの発明の実施最良形態による二重指示計の正面図を示し、６は高レンジと低レンジを切換可能に表示する表示部、７は電源、８は表示部６と電源７との間に設けられた配線、９は配線８に設けられた接点であり、入力線４から入力される計測信号の大きさに応じてオンオフする。
【００１０】
次に、上記構成の動作を説明する。入力線４から計測信号が入力されると、この計測信号の大きさに応じて接点９がオンオフする。即ち、計測信号の大きさが所定値以上の場合、接点９がオンし、これによって表示部６は電源７に接続されてスライドし、低レンジ（Ｌ  ＬＡＮＧＥ）から高レンジ（Ｈ  ＬＡＮＧＥ）に表示が切り換わる。従って、この場合には、指針２が指示する計測値は高レンジの目盛３ａによって読み取る。又、計測信号が所定値以下の場合には接点９がオフし、表示部６は電源７から切り離され、スライドして高レンジ（Ｈ  ＬＡＮＧＥ）から低レンジ（Ｌ  ＬＡＮＧＥ）に表示が切り換わる。この場合には、指針２が指示する計測値は低レンジの目盛３ｂによって読み取る。
【００１１】
上記した実施最良形態においては、二重指示計に表示部６を設け、計測信号が所定値以上か以下かにより高レンジと低レンジを表示するようにしており、表示器を別に設ける必要がないので、省スペースを達成することができるとともに、安価にすることができる。又、指示計自体で高低レンジを表示させるので、高低レンジの認識を早く行うことができ、誤認の可能性も少なくなった。さらに、表示部６に配線８及び接点９を介して電源７を接続するだけであるので、構成は簡単である。
【図面の簡単な説明】
【００１２】
【図１】この発明の最良実施形態による二重指示計の正面図である。
【図２】特許文献１に示された従来の指示計の正面図である。
【図３】従来の二重指示形の正面図及び表示器の正面図である。
【符号の説明】
【００１３】
２…指針
３…二重目盛
３ａ…高レンジの目盛
３ｂ…低レンジの目盛
４…入力線
６…表示部
７…電源
８…配線
９…接点
【図１】
2008116412.tif 000003
【図２】
2008116412.tif 000004
【図３】
2008116412.tif 000005
(57)【要約】【課題】      従来の全面ガラス張り出窓は外観的に見栄えは良いが、通常の窓のように雨戸またはシャッターが取付けられないために防犯上不安がある。そのために全面ガラス張り出窓にも雨戸またはシャッター相当の機能を持つ設備を備えることができるようにすることにある。【解決手段】  全面ガラス張り出窓を取付けている窓枠に外付けシャッター相当のものを設置することによって防犯だけでなく、風雨、騒音等を防止することができることを特徴としている。【選択図】図２
2008111324.tif 000002
【特許請求の範囲】
【請求項１】
従来の全面ガラス張り出窓の窓枠または柱を利用し、そこにシャッターを取り付けることにより盗難、風雨、騒音の防止ができることを特徴とする窓用インナーシャッター。
【請求項２】
シャッターのスラット部に窓を開け、そこにメッシュを付けることにより、シャッターを閉めても出窓の窓を開放して外気を取り入れることができることを特徴とする窓用インナーシャッター。
【発明の詳細な説明】
【技術分野】
【０００１】  本発明は、一般家屋建築におけるガラス窓等の窓用インナーシャッターに関する。
【背景技術】
【０００２】  従来、一般家屋建築において盗難、風雨、騒音等を防ぐために雨戸またはシャッターが使われているが、家屋建築のデザインや採光の要求で出窓や全面ガラス張り出窓などが見受けられる。しかしながら、そこにはガラスだけで覆われているために盗難、風雨、騒音等を防止するための設備がないのが現状である。
【発明の開示】
【発明が解決しようとする課題】
【０００３】  上述の如く、従来の全面ガラス張り出窓は外観的に見栄えは良いが、通常の窓のように雨戸またはシャッターが取付けられないために防犯上不安がある。【０００４】  本発明は、このような不安に鑑みて成されたものであり、その目的は主に防犯のために全面ガラス張り出窓にも雨戸またはシャッター相当の機能を持つ設備を備えることができるようにすることにある。
【課題を解決するための手段】
【０００５】  上述の目的を達成する本発明の窓用インナーシャッターは、全面ガラス張り出窓を取付けている窓枠に外付けシャッター相当のものを設置することによって防犯だけでなく、風雨、騒音等を防止することができることを特徴としている。
【発明の効果】
【０００７】  以上説明したように本発明によれば出窓の室内側にシャッターを取り付けることにより防犯はもとより、騒音の遮断または風雨等によって、例えばガラスが割れても内側にシャッターがあるために雨は内部までに至らずに漏水を防ぐことができるなどの効果がある。また、シャッターにブラインドの機能を持たせることによって遮光することもできる。
【発明を実施するための最良の形態】
【０００８】  以下に本発明の実施の形態を図面に基づき詳細に説明する。【０００９】  図１、図２は本発明の実施の形態に係り、図１は一般家屋建築に見られるところの出窓の外観斜視図、図２は本発明の窓用インナーシャッターを窓枠に取付けたところの断面図、図３はスラット部に窓を開け、メッシュを取付けた外観図である。【００１０】  図１に見られるような出窓１は、家屋の外壁３から出っ張って取り付けられており、また、光を採り入れるためにガラスで覆われていて雨戸、シャッターや格子の類の防犯設備は取付けられていない。【００１１】  そこで、図２に示すように、本発明の第１の実施の形態に係る現状ある出窓１の窓枠４または柱６を利用して、そこにシャッター設備８とガイドレール９を取り付けることにより留守、夜間時の防犯が可能となる。【００１２】  また、図３は本発明の第２の実施の形態に係るシャッターのスラット部５に窓１２を開けそこにメッシュ１３を付けることにより、シャッターを閉めても出窓１の窓を開放して外気を取り入れることができる。
【産業上の利用可能性】
【００１３】  本発明はアルミサッシ及びシャッターを製造、販売する産業分野で利用することができる。
【図面の簡単な説明】
【００１４】
【図１】  図１は現状の出窓の外観斜視図である。
【図２】  図２は出窓の窓枠にシャッターを取り付けた断面図である。
【図３】  図３はシャッターのスラット部に窓を開けた外観図である。
【符号の説明】
１：出窓
２：軒
３：外壁
４：窓枠
５：スラット
６：柱
７：ガラス
８：シャッター設備
９：ガイドレール
１０：室内
１１：室外
１２：窓
１３：メッシュ
【図１】
2008111324.tif 000003
【図２】
2008111324.tif 000004
【図３】
2008111324.tif 000005
(57)【要約】【課題】  幼児のトイレトレーニング時に使用する、片脇オープン型３層式トレーニングパンツを提供する。【解決手段】  幼児用の３層式トレーニングパンツの、腰部の右脇又は左脇のいずれか片脇を縦長状に切断して開閉部とし、その開閉部に面ファスナーを設け、開閉自在とすることを特徴とする、片脇オープン型３層式トレーニングパンツ。【選択図】図１
2008111215.tif 000002
【特許請求の範囲】
【請求項１】
幼児用の３層式トレーニングパンツの、腰部の右脇又は左脇のいずれか片脇を縦長状に切断して開閉部とし、その開閉部に面ファスナーを設け、開閉部を開閉自在とすることを特徴とする、片脇オープン型３層式トレーニングパンツ。
【発明の詳細な説明】
【技術分野】
【０００１】  本発明は、幼児のトイレトレーニング時に使用する、片脇オープン型３層式トレーニングパンツに関するものである。
【背景技術】
【０００２】  従来は、外出先のトイレを使用するとき、膝下まで下した状態では座わらせにくいため、ズボン、パンツを全部脱がしていた。
【発明の開示】
【発明が解決しようとする課題】
【０００３】  そのために、次のような問題点があった。
（イ）膝下までズボン、パンツを下した状態では、座わらせにくいうえに、洋服におしっ    こがかかってしまう心配があった。
（ロ）ズボン、パンツをすべて脱がせるには、衣服や足が床に触れないように注意しなく    てはいけないので、手間取り、脱がせた物の置き場にも困った。
（ハ）トレーニングパンツを取り替える際、パッドの脱着が困難だった。
（ニ）子供が自分でパンツを履く際、おしりにひっかかり、履きにくそうだった。
本発明は、以上の問題点を解決しようとするものである。
【課題を解決するための手段】
【０００４】  幼児用の３層式トレーニングパンツの、腰部の右脇又は左脇のいずれか片脇を縦長状に切断して開閉部とし、その開閉部に面ファスナーを設け、開閉部を開閉自在とすることを特徴とする、片脇オープン型３層式トレーニングパンツ。
【発明の効果】
【０００５】  本発明は、従来のトレーニングパンツの右脇を、面ファスナーで開閉出来るようにすることによって、外出先のトイレ（１２）でのズボン、パンツを脱がせる段取りをスムーズにする。
また、右脇が大きく開くことより、トレーニングパッドの脱着が行いやすく、子供が自分で脱着する際にも行いやすいので、自発的なトイレトレーニングに繋がる。
【発明を実施するための最良の形態】
【０００６】  以下、本発明の実施の形態を説明する。
（イ）綿生地（５）２枚の間に、ポリエステル撥水生地（６）を挟み合わせ、左脇を縫合    し、パンツ本体とする。
（ロ）綿生地（５）２枚の間に、接着芯（９）を挟み合わせ、本体後面右脇切断部分と縫    合する。
開閉部（２）左脇部分を残し、バイアステープ（７）で、開閉部（２）上部、右脇    、下部を縁取り、面ファスナー雄（１ａ）を縫着し、本体後面右脇切断部分と縫合す    る、開閉部（２）を設ける。
（ハ）足入れ口（４）と足出し口（３）の周縁に、ゴム（８）を縫着する。
（ニ）パンツ本体後面右脇切断部分と、開閉部（２）左脇を合わせ、縫合し、開閉出来る    ようにする。
（ホ）パンツ本体前面右脇に、面ファスナー雌（１ｂ）を縫着し、パンツ本体前面右脇切    断部分を、バイアステープ（７）で縁取る。
本発明は以上の構成からなるので、本発明を使用する際は、外出先でのトイレで使用する際は、子供を立たせた状態でズボン（１１）を下し、開閉部（２）を開き、パンツを下す。
便器のフタ又は、便座の先に手で支えながら座わらせ、右足の靴、ズボンを脱がせ、パンツとともに、左側に寄せる。
トレーニングパッド脱着の際は、子供を立たせた状態でパンツを下し、開閉部（２）を開き、脱着する。
子供が１人で使用する際には、開閉部（２）を開いた状態で、足入れ口（４）から足を入れ、足出し口（３）から足を出し、腰まで引き上げ、開閉部（２）を閉じる。
脱ぐ場合は、開閉部（２）を開き、足首まで下げ、足出し口（３）から足を出す。
なお、開閉部（２）を閉じた状態での、脱ぎ履きも可能なので、１人で普通のパンツを着用するための、ステップアップへと繋がる。
【図面の簡単な説明】
【０００７】
【図１】本発明の斜視図
【図２】本発明の開閉部の斜視図
【図３】本発明の使用状態を示した斜視図
【符号の説明】
【０００８】    １  面ファスナー
２  開閉部
３  足出し口
４  足入れ口
５  綿生地
６  ポリエステル撥水生地
７  バイアステープ
８  ゴム
９  接着芯
１０  トレーニングパンツ
１１  ズボン
１２  トイレ
【図１】
2008111215.tif 000003
【図２】
2008111215.tif 000004
【図３】
2008111215.tif 000005
(57)【要約】      （修正有）【課題】自然界に存在する色々な力を、動力としてより効率的に利用する。【解決手段】長手板１の中心に中心軸８を持つ物の中間に中間板２を持ち、その先にユの字型に曲がる先端板３を持ったその先端板に比較的直径の大きな円柱４を取り付け、長手板の先端部に固定し十分円滑なステンレス線又は被服電線５の先端に重り６を付けた物を、長手板の先端部から遠い方から円柱に半巻させた物、これを長手板の中心に対して左右対称となるべく二つセットし、直流モ−タ−７の軸心に取り付けてこれを蓄電器９に取り付け、蓄電器の電圧を上昇させる事等を特徴とするくの字型動力機関。普通は半径方向成分のみが現れる遠心力を、くの字に曲がる遠心力線を利用する事に依って遠心力の周方向成分を引き出し、エネルギ−を効果的に利用する事が出来る。【選択図】図１
2008111421.tif 000002
【特許請求の範囲】
【請求項１】
長手板の中心に中心軸を持つ物の中間に中間板を持ち、その先にユの字型に曲がる先端板を持ったその先端板に比較的直径の大きな円柱を取り付け、長手板の先端部に固定し十分円滑なステンレス線又は被服電線の先端に重りを付けた物を、長手板の先端部から遠い方から円柱に半巻させた物、これを長手板の中心に対して左右対称となるべく二つセットし、直流モ−タ−の軸心に取り付けてこれを蓄電器に取り付け、蓄電器の電圧を上昇させる事等を特徴とするくの字型動力機関。
【発明の詳細な説明】
【技術分野】
【０００１】本発明は作用機構の遠心力線がくの字に曲がり、その結果遠心力の周方向成分が発生してくる事に依ってプラスアルファの動力を得る事が出来た。
【背景技術】
【０００２】遠心力は普通の場合半径方向成分のみ現れるが、ちょっとした工夫に依って周方向成分も引き出す事が出来、この事に依って、プラスアルファの動力を得る事が出来る。
【発明の開示】
【発明が解決しようとする課題】
【０００３】
【０００４】この発明が解決しようとする課題はいかにして自然界に存在する力を利用して動力として利用するかという点にある。
【課題を解決する為の手段】
【０００５】ここでは遠心力の周方向成分を引っ張り出すべく、くの字に曲げられる遠心力ステンレス線を利用し、この問題を解決した。
【発明の効果】
【０００６】直流モ−タ−の作動に依って、くの字型動力機関が作動し、ブランクより回転が早くなった。
【発明を実施する為の最良の形態】
【０００７】構造的にみて、小さな機構物体ばかりでなく、大きな機械設備として十分稼動出来るものとものと思われる。
【実施例１】
【０００８】図１の如く、増幅構造部分が直流モ−タ−に依って作動し始めると遠心力に依って円柱を取り巻きながらその周方向成分が現れ回転が早くなり、回転数も増加した。
【産業上の利用可能性】
【０００９】実験に依って直流モ−タ−の回転数の上昇が見られたが、動力としても増幅作用が有り、動力としての省エネルギ−、省電力、大型化すれば大きなコスト削減が可能であるのでユニバ−サルモ−タ−を使った場合も含めて、その利用分野は大きいと思われる。
【図面の簡単な説明】
【００１０】
【図１】は請求項１の立面斜視図である。
【符号の説明】
【００１１】▲１▼長手板▲２▼中間板▲３▼先端板▲４▼円柱▲５▼ステンレス線、被服電線等▲６▼重り▲７▼直流モ−タ−、ユニバ−サルモ−タ−等▲８▼軸心▲９▼蓄電器対
【図１】
2008111421.tif 000003
(57)【要約】【課題】  新駆動方式を採用した駆動装置に使用されているプーリのベアリングからのグリースの漏れ対策。【解決手段】  被駆動体、例えばエレベータの乗かごを支持する主ロープ１がシーブ２に巻き掛けられ、モータにより循環駆動するベルト１２がシーブ２に巻き掛けられた主ロープ１の一定の円弧領域をシーブ２に向かって押圧しながら、主ロープ１をその長手方向に駆動する駆動装置において、ベルト１２は三つのプーリ１３，１４，１５に巻き掛けられ、これらのプーリ１３等の外周側部には返し２４を設けることにより、プーリ１３等のベアリング２３からグリースが漏れても、ベルト１２に油が付着しないようにした。【選択図】      図１
2008111560.tif 000002
【特許請求の範囲】
【請求項１】
被移動体を支持するロープ又はベルト状の張力部材がシーブに巻き掛けられ、モータにより循環駆動するベルトが前記シーブに巻き掛けられた前記張力部材の一定の円弧領域を前記シーブに向かって押圧しながら、前記張力部材をその長手方向に駆動する駆動装置において、
前記ベルトは三つのプーリに巻き掛けられ、前記プーリの外周側部には返しを設けたことを特徴とする駆動装置。
【請求項２】
前記返しには油吸収体が挿入されていることを特徴とする請求項１に記載の駆動装置。
【発明の詳細な説明】
【技術分野】
【０００１】
本発明は、新しい駆動機構を備えた例えば、エレベータの駆動装置の改良に関するものである。
【背景技術】
【０００２】
図２はこの新しい駆動装置の全体を示す斜視図である（特許文献１参照）。駆動装置１０は主ロープ１が巻き掛けられたシーブ２を取り囲むように配置されたフレーム１１内に収められ、ベルト１２が三つのプーリ１３，１４，１５に巻き掛けられ、かつシーブ２の上方から主ロープ１をシーブ２に押付けるように配置されている。プーリ１３には図示しないモータが連結されて回転駆動され、ベルト１２の循環運動を通じてシーブ２と主ロープ１とを共に移動させ、乗りかご（図示しない）を昇降させる機構になっている。そして、乗かごが建物の階床に停止すると、モータに設けられた通常のブレーキを作動させて、乗かごを静止状態に保つようにしている。
【０００３】
ここで、プーリ１４及びプーリ１５については、ベルト１２に適度な張力を与えるために、垂直方向に移動自在（例えば、図２に示す通りボルトナットと長穴により構成）にフレーム１１に設けている。
【０００４】
【特許文献１】国際公開第０２／０６４４８２号パンフレット
【発明の開示】
【発明が解決しようとする課題】
【０００５】
このような機構であれば、シーブ２へのベルト１２の押付け力を十分に確保すれば、主ロープ１のすべりを皆無にできるメリットがある。しかし、プーリ１３等のベアリングからグリースが漏れ出してベルト１２に付着すると、ベルト１２とプーリ１３等との間にグリースが入ることによりすべりが生じて、主ロープ１を十分に駆動することができず、主ロープ１の左右の荷重に著しい不平衡が発生すると、乗かごが動く可能性があるという問題があった。
【課題を解決するための手段】
【０００６】
本発明は、被移動体を支持するロープ又はベルト状の張力部材がシーブに巻き掛けられ、モータにより循環駆動するベルトが前記シーブに巻き掛けられた前記張力部材の一定の円弧領域を前記シーブに向かって押圧しながら、前記張力部材をその長手方向に駆動する駆動装置において、前記ベルトは三つのプーリに巻き掛けられ、前記プーリの外周側部には返しを設けたものである。また、前記返しに油吸収体を挿入したものである。
【発明の効果】
【０００７】
本発明によれば、ベルトへの油（グリース）の付着を防止することができるため、信頼性の高い駆動装置を得ることができる。
【発明を実施するための最良の形態】
【０００８】
本発明の実施の形態を図面を用いて説明する。図１は図２のプーリ１５の断面図に相当する図である。
図１において、図２と同一符号のものは同一のものを示している。プーリ１５は、シャフトブロック２１に固定されたシャフト２２にベアリング２３を介して回動自在に設けられており、側部には一周にわたって返し２４が設けられ、ベアリング２３から漏れ出してくるグリースを受けられるように構成されている。そして、この返し２４にはドーナツ状の油吸収体２５が挿入されている。したがって、万一グリースが漏れ出してきてもこの油吸収体２５にグリースが吸収されるため、ベルト１２にグリースが付着することはない。２６はカバーである。
【０００９】
この実施の形態では、プーリ１５を例にとって説明しているが、プーリ１３，１４でも同様の構成になる。また張力部材として主ロープ１の代わりにベルト状の部材が使用されているものであっても、本発明を適用することができる。
更に本発明は、エレベータ装置以外の駆動装置についても適用することができる。
【図面の簡単な説明】
【００１０】
【図１】本発明に係るプーリの一例を示す断面図である。
【図２】新しい駆動装置の全体を示す斜視図である。
【符号の説明】
【００１１】
１  主ロープ
２  シーブ
１２  ベルト
１３，１４，１５  プーリ
２３  ベアリング
２４  返し
２５  油吸収体
【図１】
2008111560.tif 000003
【図２】
2008111560.tif 000004
(57)【要約】      （修正有）【課題】従来の燃料費削減装置は燃料そのものに主眼をおいたものが多く、燃料添加剤などはランニングコストが高く、永久磁石は期待ほどの効果が上がらない。【解決手段】上記課題を解決する本発明装置は、燃焼する際の条件である酸素に着目し、酸素原子を安定化し燃焼室に供給する。具体的には、巻線抵抗が発生する電磁波で銅板を励起状態にし、励起した銅板から銀板に通電させ、銀板から長波の照射光を発生させる。更に、紫外線領域の発光ダイオードから発生する短波の光を銀板に照射することによって銀板から自由電子を放射させる。これらの長波及び自由電子により、空気中の酸素原子を安定させ、液体燃料と酸素を混合し燃焼する際の燃焼効率を向上させ、燃料費の削減を図る。【選択図】図１
2008111645.tif 000002
【特許請求の範囲】
【請求項１】
巻線抵抗が発生する電磁波で銅板を励起状態にし、励起した銅板からリード線を用い、空気取り入れ口に設けた銀板に通電させ、銀板から波長の照射光を発生させる。更に、紫外線領域の発光ダイオードから発生する短波の光を銀板に照射することによって銀板から自由電子を放射させる。これらの長波及び自由電子により、空気中の酸素原子を安定させ、液体燃料と酸素を混合し燃焼する際の燃焼効率を向上させ、燃料費の削減を図る装置。
【発明の詳細な説明】
【技術分野】
【０００１】  本発明は、車両、船舶及びボイラーの燃料費削減に関するものである。
【背景技術】
【０００２】  従来の車両、船舶及びボイラーの燃料費削減させるために、燃料に添加剤あるいは添加物を投入したり、磁石などが多く用いられているが、添加剤は給油する度にコストが掛かり、磁石は思ったほど効果が出ないなどの問題がある。
【発明の開示】
【発明が解決しようとする課題】
【０００３】  以上に述べた従来の装置は、主に液体燃料に着目し施されたものである。【０００４】  本発明は、従来の問題である燃料費用の問題を解決しようとするものであり、燃料費用を効果的に削減することを目的とする。
【課題解決するための手段】
【０００５】  本発明は上記目的を達成するため、燃焼する祭の条件である酸素原子に着目し、酸素原子を構成する電子を充満帯（ｆｉｌｌｅｄ  ｂａｎｄｓ）の状態を作り、安定した酸素原子を燃焼室に供給することで、燃焼効率が上がることを見出し、本発明を成すに至った。
【０００６】  本発明は、通電性の良い銀板及び銅板を構成する原子と電磁波を衝突させ、銀板及び銅板から飛び出す電子を利用し、酸素原子の陽子と電子の電荷を安定させることを特徴としている。
【発明の効果】
【０００７】  本発明燃料費削減装置は、燃料と酸素が混合し燃焼する祭の、燃焼効率が効果的に向上する。
【発明を実施するための最良の形態】
【０００８】  以下、本発明の実施の形態を図１〜図５に基づいて説明する。【０００９】  図１は、ビフィラーコイル（Ｂｉｆｉｌａｒ  Ｃｏｉｌ）１、巻線抵抗２、銅板３、銀板１１、紫外線領域の発光ダイオード１０の配置と電気回路図である。【００１０】  図２は、導線に流れる電流によって発生する電界、磁界を抑制し、電流を一定方向に導くためのビフィラーコイル（Ｂｉｆｉｌａｒ  Ｃｏｉｌ）である。直径１．６ｍｍの導線を二つ折りにした導線２本の端を導線止めのビス１ｂから電気入出力のビス１ｄ、１ｅまで同時に巻き、巻かれた導線に塩化ビニルテープ１ｇを巻き、その上に巻かれた導線を覆うようにアルミ箔１ｆを巻く。１ａは直径２６ｍｍを有する絶縁体パイプであり、導線を巻きつける材料である。【００１１】  図３は、電磁場を形成させるための巻線抵抗を示したもので、直径１．０ｍｍの導線を一方向に巻き、同導線を銅板取付導線２ｅまで延ばす。１辺が１に対してもう一辺が１．６２に切断した長方形の銅板３ａを導線２ｅの中心に接続する。巻かれた導線に塩化ビニルテープ２ｄを巻き、その上に巻かれた導線を覆うようにアルミ箔２ｃを巻く。２ａは電磁場の形成を容易にする直径１６ｍｍを有する導線を巻きつけるための銅管である。【００１２】  図４は、巻線抵抗を上から見た図であり、銅板取付導線２ｅに接続される銅板３ａの方向を示している。【００１３】  図５は、燃焼室に流入する酸素原子を安定させるため、空気吸い込み口に銀板４ａと紫外線領域の発光ダイオード５ａを耐熱性ポリプロピレンシート４ｂに取り付け、燃焼室から延びるパイプに耐熱性ポリプロピレンシート４ｂを丸め、差し込んだ図である。耐熱性ポリプロピレンシート４ｂに銀板４ａをリベット４ｃで固定し、銀板の反対面に紫外線領域の発光ダイオード５ａを取り付ける。
【図面の簡単な説明】
【００１４】
【図１】  本発明の実施形態を示す電気回路図
【図２】  ビフィラーコイル（Ｂｉｆｉｌａｒ  Ｃｏｉｌ）の断面図
【図３】  巻線抵抗の断面図及び側面図
【図４】  巻線抵抗を上から見た外観図
【図５】  空気取り入れ口に図１−１１の取り付けを示す断面図及び正面図
【符号の説明】
【００１５】  １  ビフィラーコイル（Ｂｉｆｉｌａｒ  Ｃｏｉｌ）
２  巻線抵抗
３  銅板
４  電源アース
５  マイナス端子
６  プラス端子
７  抵抗器
８  ヒューズ
９  抵抗器
１０  紫外線領域の発光ダイオード
１１  純銀板
１２  リード線
【実施例】
【００１６】  次に本発明の実施例を記載する。【００１７】    実施例で使用した車両は、普通乗用車トヨタガイア２０００ＣＣ、ニッサンウイングロード１５００ＣＣである。【００１８】  表１に記載の車両は、トヨタガイア、排気量２０００ＣＣ、初年度登録平成１０年６月、登録番号鹿児島５３０ま１２２０、定員６人であり、表１のごとく本実施例で優れた効果を示した。【００１９】
【表１】
2008111645.tif 000003
【００２０】  表２に記載の車両は、ニッサンウイングロード、排気量１５００ＣＣ、初年度登録平成９年２月、登録番号鹿児島５００も７０８３、定員５名であり、表２のごとく本実施例で優れた効果を示した。【００２１】
【表２】
2008111645.tif 000004
【図１】
2008111645.tif 000005
【図２】
2008111645.tif 000006
【図３】
2008111645.tif 000007
【図４】
2008111645.tif 000008
【図５】
2008111645.tif 000009
(57)【要約】【課題】犯人本人の顔面に向けて、発光／噴射レバー５を握り、本発明の防犯用発光スプレー装置を使用する。【解決手段】発光器３から強力な光を発光し威嚇した後、噴射ノズル４より催涙系溶液を噴射し、犯行の抑止と同時に犯人の行動を制限する。【選択図】図１
2008117100.tif 000002
【特許請求の範囲】
【請求項１】
噴射用の催涙溶液等が充填されているスプレー容器本体上部に、噴射ノズルを配置した発光器を取り付け、スプレー容器本体と一体型を形成し、グリップに付帯されている２段階式、発光／噴射レバーを浅く握ると、目に支障を残さないくらいの強い光量の光を放ち、レバーを深く握ることでスプレー容器内に充填されている催涙溶液等が噴射されるものを特徴とする、防犯用発光スプレー装置。
【請求項２】
前記、スプレー容器本体が交換可能な、カートリッジ式を特徴とする防犯用発光スプレー装置。
【請求項３】
請求項１及び２記載の発光用電源部が、スプレー容器本体の下部に設置されたものを特徴とする防犯用発光スプレー装置。
【発明の詳細な説明】
【技術分野】
【０００１】
本発明は使用が簡単で、犯人の顔面に向けてレバーを浅く握ることにより、発光器より発せられる強力な光により犯人の目を眩ませ、犯人が怯んだ隙を見計らい、レバーを深く握ることにより、噴射ノズルから催涙溶液等を噴射することで、犯罪の抑止、又は犯人の逃走を制限することを目的とした、防犯用発光スプレー装置である。
【背景技術】
【０００２】
銀行、郵便局等の金融機関及びコンビニエンスストアー等における強盗事件では、事件に遭遇する人々の殆どが一般人であることが多い、そのため犯人に主導権を握られ何も出来ず犯行を許し、犯行後犯人に逃走されている事例が大多数である。
【０００３】
銀行、郵便局等の金融機関では蛍光塗料の入ったカラーボール等を設置してはいるが、その使用目的は犯人が逃走行動を起こしてからであり、犯人に命中させる為には相当のコントロールを持って投げなければ用を為さなかった。
【０００４】
本、防犯用発光スプレー装置の使用目的は、事件発生時に自身の防御と同時に、犯行の抑止を目的とした装置である。
【０００５】
益々増加の一途を辿る金融機関、コンビニエンスストアー、一般家庭等の強盗事件で、犯人逃走後の事後捜査は捜査機関の人員の確保、経費増大の観点から憂慮するものである。
【特許文献１】特開２０００−２９８７７９号公報
【発明の開示】
【発明が解決しようとする課題】
【０００６】
銀行、郵便局等の金融機関に設置されている蛍光塗料の入ったカラーボールは、犯人が逃走の動作に移行した時点で使用されるものであり、犯人に命中させるには相当のコントロールが求められる。
【課題を解決するための手段】
【０００７】
本発明は、事件発生時、犯人の意表をつき、犯人の顔面に向けて、防犯用発光スプレー装置の発光／噴射レバーを握ることにより発せられる強力な光により、犯人の目が眩み動作に支障が生じた時を狙い、防犯用発光スプレー装置から充填された催涙溶液等を犯人の顔面に確実に噴射させることが出来る。
【０００８】
発光器からの発光形態は、常時点灯又は断続的な点滅が考えられる。
【０００９】
噴射される液体については、例えば、辛子成分等を含んだ催涙系の溶液が望ましい。
【発明の効果】
【００１０】
本発明は、銀行、郵便局等の金融機関、一般家庭等で事件に遭遇した時、犯人の隙を見計らい、防犯用発光スプレー装置を犯人の顔に向け、発光／噴射レバーを握ることにより、
【００１１】
強力な光で犯人の目が眩み犯人が怯んだ隙に、催涙系の溶液が入った充填溶液を犯人の顔面に確実に噴射することで、犯罪の抑止と同時に、犯人の逃走を制限することが期待できる。
【発明を実施するための最良の形態】
【００１２】
防犯用発光スプレー装置上部に設置された、噴射ノズルを配置した発光器及び、噴射容器本体の下部に設置されている電源部は、スプレー装置本体と一体型が考えられるが、資源の有効活用の観点から、噴射容器本体は交換可能な独立したカートリッジ方式が望ましい。
【実施例】
【００１３】
図１は、本発明に係る防犯用発光スプレー装置の代表的な全体図である。
【００１４】
グリップ２に設置されている発光／噴射レバー５は二段階式になっており、握る深さにより、発光器３の発光動作、噴射ノズル４から催涙系等の溶液の噴射動作を兼ねている。
【００１５】
最初の一段目は発光器３のスイッチが入り強力な光を放ち、二段目は発光器に設置してある噴射ノズル４より、催涙系等の溶液が入っているスプレー溶液充填容器１から溶液が噴射される。
【００１６】
電源部５は発光器への電気の供給を目的とする。
【産業上の利用可能性】
【００１７】
以上、説明の通り、本発明の防犯用発光スプレー装置は比較的簡単な構造を持ち、昨今増加の一途を辿る銀行、郵便局等の金融機関及びコンビニエンスストアー又、一般家庭内における事件発生の際、犯行に臨んだ犯人に対して強力な光による威嚇を行うだけでなく、
【００１８】
犯人本人に向けて噴射された催涙系溶液により、犯行の抑止と同時に犯人の逃走を制限することが期待できる。
【図面の簡単な説明】
【００１９】
【図１】本発明の実施の形態に係る防犯用発光スプレー装置置の正面図である。
【図２】本発明の実施の形態に係る防犯用発光スプレー装置の側面図である。
【符号の説明】
【００２０】
１    スプレー溶液充填容器
２    グリップ
３    発光器
４    噴射ノズル
５    発光／噴射レバー
６    電源部
【図１】
2008117100.tif 000003
【図２】
2008117100.tif 000004